(57)【要約】【課題】小型軽量でありながら、テレセントリック性を確保でき、諸収差を十分に補正して良好な解像度を得ることができる撮像レンズを提供すること。【解決手段】物体側から、両凸レンズとされた第１レンズ２と、絞り３と、像面側に凸面を向けた負のパワーを有するメニスカスレンズとされた第２レンズ４と、物体側に凸面を向けた正のパワーを有するメニスカスレンズとされた第３レンズ５とを配設し、かつ、０．７≦ｆ１／ｆｌ≦１、−６≦ｆ２／ｆｌ≦−２．８、３≦ｆ３／ｆｌ≦１０の各条件式（但し、ｆｌ：レンズ系全体の焦点距離、ｆ１：第１レンズの焦点距離、ｆ２：第２レンズの焦点距離、ｆ３：第３レンズの焦点距離）を満足すること。【選択図】図１
2007240933.tif 000002
【特許請求の範囲】
【請求項１】
物体側から像面側に向かって順に、両凸レンズとされた第１レンズと、絞りと、像面側に凸面を向けた負のパワーを有するメニスカスレンズとされた第２レンズと、物体側に凸面を向けた正のパワーを有するメニスカスレンズとされた第３レンズとを配設し、かつ、次の（１）〜（３）に示す各条件式、
０．７≦ｆ１／ｆｌ≦１        （１）
−６≦ｆ２／ｆｌ≦−２．８    （２）
３≦ｆ３／ｆｌ≦１０          （３）
但し、
ｆｌ：レンズ系全体の焦点距離
ｆ１：第１レンズの焦点距離
ｆ２：第２レンズの焦点距離
ｆ３：第３レンズの焦点距離
を満足することを特徴とする撮像レンズ。
【請求項２】
更に、次の（４）に示す条件式、
−０．３≦ｒ１／ｒ２＜０    （４）
但し、
ｒ１：第１レンズの物体側の面の中心曲率半径
ｒ２：第１レンズの像面側の面の中心曲率半径
を満足することを特徴とする請求項１に記載の撮像レンズ。
【請求項３】
更に、次の（５）に示す条件式、
０．７≦ｒ５／ｆｌ≦１．２    （５）
但し、
ｒ５：第３レンズの物体側の面の中心曲率半径
を満足することを特徴とする請求項１または２に記載の撮像レンズ。
【請求項４】
更に、次の（６）〜（８）に示す各条件式、
ν１≧５０      （６）
ν２≦４０      （７）
ν３≧５０      （８）
但し、
ν１：第１レンズのアッベ数
ν２：第２レンズのアッベ数
ν３：第３レンズのアッベ数
を満足することを特徴とする請求項１〜３のいずれか１項に記載の撮像レンズ。
【請求項５】
前記第３レンズの像面側の面が、周辺に向かうにしたがって負のパワーを弱めるような非球面形状に形成されていること
を特徴とする請求項１〜４のいずれか１項に記載の撮像レンズ。
【請求項６】
前記第３レンズの像面側の面が、周辺に向かうにしたがって像面側に凸になるような非球面形状に形成されていること
を特徴とする請求項１〜４のいずれか１項に記載の撮像レンズ。
【発明の詳細な説明】
【技術分野】
【０００１】
本発明は、撮像レンズに係り、特に、携帯型のコンピュータ、テレビ電話、携帯電話、デジタルカメラ等に搭載されるＣＣＤ、ＣＭＯＳ等の撮像素子を利用した撮像装置に用いられ、小型軽量化を図るのに好適な３枚レンズ構成の撮像レンズに関する。
【背景技術】
【０００２】
近年、携帯型のコンピュータ、テレビ電話、携帯電話、デジタルカメラ等に搭載されるＣＣＤ、ＣＭＯＳ等の撮像素子を利用したカメラの需要が著しく高まっている。このようなカメラは、限られた設置スペースに搭載する必要があることから、小型であり、かつ、軽量であることが望まれている。
【０００３】
そのため、このようなカメラに用いられる撮像レンズにも、カメラと同様に小型軽量であることが要求されており、このような撮像レンズとしては、従来から、１枚のレンズを用いた１枚構成のレンズ系や２枚のレンズを用いた２枚構成のレンズ系が採用されている。
【０００４】
しかしながら、これらのものは、レンズ系の小型軽量化には極めて有利であるものの、近年の撮像レンズに要求される高画質、高解像度化には十分に対応できないという問題がある。
【０００５】
そのため、従来から、３枚のレンズを用いた３枚構成のレンズ系を採用し、これにより、高画質、高解像度化に対応することが行われている。
【０００６】
このような高画質、高解像度化をねらった３枚構成のレンズ系としては、例えば、次の特許文献１〜４に示すレンズ系が知られている。
【０００７】
【特許文献１】特開２００５−８４４７９号公報
【特許文献２】特開２００５−３４５７１３号公報
【特許文献３】特開２００３−１４９５４５号公報
【特許文献４】特開平１０−３０１０２１号公報
【発明の開示】
【発明が解決しようとする課題】
【０００８】
しかしながら、特許文献１に記載のレンズ系は、絞りが第１レンズの物体側に配置されているため、ディストーションの補正が困難となる。
【０００９】
また、特許文献２に記載のレンズ系は、第１レンズが物体側に凸のメニスカスレンズとされているため、第１レンズにおいて発生するディストーションが大きくなり、この結果、光学系全体で発生するディストーションが大きくなる。
【００１０】
さらに、特許文献３に記載のレンズ系は、第１レンズが負のパワーを有するため、小型軽量化が困難となる。
【００１１】
さらにまた、特許文献４に記載のレンズ系は、絞りが第２レンズと第３レンズとの間に配置されており、かつ、第３レンズが物体側に強い凹面を向けた負のパワーを有するレンズとされているため、テレセントリック性が悪い。また、特許文献４に記載のレンズ系は、第２レンズと第３レンズとの間隔が広過ぎるため、第３レンズの有効径が大きくなり過ぎ、この結果、レンズ系の小型軽量化が困難となる。
【００１２】
したがって、従来のレンズ系においては、小型軽量化を図りつつ、テレセントリック性を確保し、かつ、諸収差を十分に補正して良好な解像度を得るには、未だに不十分であるといった問題点を有している。
【００１３】
本発明は、このような問題点に鑑みなされたもので、小型軽量でありながら、テレセントリック性を確保することができるとともに、諸収差を十分に補正して良好な解像度を得ることができる撮像レンズを提供することを目的とするものである。
【課題を解決するための手段】
【００１４】
前述した目的を達成するため、本発明の請求項１に係る撮像レンズの特徴は、物体側から像面側に向かって順に、両凸レンズとされた第１レンズと、絞りと、像面側に凸面を向けた負のパワーを有するメニスカスレンズとされた第２レンズと、物体側に凸面を向けた正のパワーを有するメニスカスレンズとされた第３レンズとを配設し、かつ、次の（１）〜（３）に示す各条件式、
０．７≦ｆ１／ｆｌ≦１        （１）
−６≦ｆ２／ｆｌ≦−２．８    （２）
３≦ｆ３／ｆｌ≦１０          （３）
但し、
ｆｌ：レンズ系全体の焦点距離
ｆ１：第１レンズの焦点距離
ｆ２：第２レンズの焦点距離
ｆ３：第３レンズの焦点距離
を満足する点にある。
【００１５】
そして、この請求項１に係る発明によれば、第１レンズを両凸レンズとし、かつ、第２レンズを像面側に凸面を向けた負のパワーを有するメニスカスレンズとし、かつ、第３レンズを物体側に凸面を向けた正のパワーを有するメニスカスレンズとし、かつ、第１レンズと第２レンズとの間に絞りを配置し、かつ、（１）〜（３）の各条件式を満足するようにすることにより、光学系を小型化し、かつ、テレセントリック性を確保し、かつ、ディストーション、球面収差、コマ収差、像面湾曲および軸上色収差等の諸収差を良好に補正することが可能となる。
【００１６】
また、請求項２に係る撮像レンズの特徴は、請求項１において、更に、次の（４）に示す条件式、
−０．３≦ｒ１／ｒ２＜０    （４）
但し、
ｒ１：第１レンズの物体側の面の中心曲率半径
ｒ２：第１レンズの像面側の面の中心曲率半径
を満足する点にある。
【００１７】
そして、この請求項２に係る発明によれば、更に、（４）の条件式を満足するようにすることにより、球面収差をさらに良好に補正することが可能となる。
【００１８】
さらに、請求項３に係る撮像レンズの特徴は、請求項１または２において、更に、次の（５）に示す条件式、
０．７≦ｒ５／ｆｌ≦１．２    （５）
但し、
ｒ５：第３レンズの物体側の面の中心曲率半径
を満足する点にある。
【００１９】
そして、この請求項３に係る発明によれば、更に、（５）の条件式を満足するようにすることにより、コマ収差およびディストーションをさらに良好に補正することが可能となる。
【００２０】
さらにまた、請求項４に係る撮像レンズの特徴は、請求項１〜３のいずれか１項において、更に、次の（６）〜（８）に示す各条件式、
ν１≧５０      （６）
ν２≦４０      （７）
ν３≧５０      （８）
但し、
ν１：第１レンズのアッベ数
ν２：第２レンズのアッベ数
ν３：第３レンズのアッベ数
を満足する点にある。
【００２１】
そして、この請求項４に係る発明によれば、更に、（６）〜（８）の各条件式を満足するようにすることにより、色収差をさらに良好に補正することが可能となる。
【００２２】
また、請求項５に係る撮像レンズの特徴は、請求項１〜４のいずれか１項において、前記第３レンズの像面側の面が、周辺に向かうにしたがって負のパワーを弱めるような非球面形状に形成されている点にある。
【００２３】
そして、この請求項５に係る発明によれば、第３レンズの像面側の面を、周辺に向かうにしたがって負のパワーを弱めるような非球面形状に形成することにより、像高ごとの収差を効果的に補正することが可能となる。
【００２４】
さらに、請求項６に係る撮像レンズの特徴は、請求項１〜４のいずれか１項において、前記第３レンズの像面側の面が、周辺に向かうにしたがって像面側に凸になるような非球面形状に形成されている点にある。
【００２５】
そして、この請求項６に係る発明によれば、第３レンズの像面側の面を、周辺に向かうにしたがって像面側に凸になるような非球面形状に形成することにより、像高ごとの収差を効果的に補正することが可能となる。
【発明の効果】
【００２６】
本発明の請求項１に係る撮像レンズによれば、光学系を小型化し、かつ、テレセントリック性を確保し、かつ、ディストーション、球面収差、コマ収差、像面湾曲および軸上色収差等の諸収差を良好に補正することができる結果、小型軽量でありながら、テレセントリック性を確保することができるとともに、諸収差を十分に補正して良好な解像度を得ることができる撮像レンズを実現することができる。
【００２７】
また、請求項２に係る撮像レンズによれば、球面収差をさらに良好に補正することができる結果、請求項１に係る撮像レンズの効果に加えて、さらに、より良好な解像度を得ることができる撮像レンズを実現することができる。
【００２８】
さらに、請求項３に係る撮像レンズによれば、コマ収差およびディストーションをさらに良好に補正することができる結果、請求項１または２に係る撮像レンズの効果に加えて、さらに、解像度をより向上させることができる撮像レンズを実現することができる。
【００２９】
さらにまた、請求項４に係る撮像レンズによれば、色収差をさらに良好に補正することができる結果、請求項１〜３のいずれか１項に係る撮像レンズの効果に加えて、さらに、解像度がより向上された撮像レンズを実現することができる。
【００３０】
また、請求項５に係る撮像レンズによれば、像高ごとの収差を効果的に補正することができる結果、請求項１〜４のいずれか１項に係る撮像レンズの効果に加えて、さらに、解像度により優れた撮像レンズを実現することができる。
【００３１】
さらに、請求項６に係る撮像レンズによれば、像高ごとの収差を効果的に補正することができる結果、請求項１〜４のいずれか１項に係る撮像レンズの効果に加えて、さらに、解像度により優れた撮像レンズを実現することができる。
【発明を実施するための最良の形態】
【００３２】
以下、本発明に係る撮像レンズの実施形態について、図１を参照して説明する。
【００３３】
図１に示すように、本実施形態における撮像レンズ１は、物体側から像面側に向かって順に、両凸レンズとされた第１レンズ２と、絞り３と、像面側に凸面を向けた負のパワーを有するメニスカスレンズとされた第２レンズ４と、物体側に凸面を向けた正のパワーを有するメニスカスレンズとされた第３レンズ５とを有している。
【００３４】
以下、第１レンズ２、第２レンズ４および第３レンズ５における物体側の各レンズ面２ａ、４ａ、５ａを、それぞれ各レンズ２、４、５の第１面２ａ、４ａ、５ａと称し、各レンズ２、４、５における像面側のレンズ面２ｂ、４ｂ、５ｂを、それぞれ各レンズ２、４、５の第２面２ｂ、４ｂ、５ｂと称することとする。
【００３５】
第３レンズ５の第２面５ｂの側には、カバーガラス、ＩＲカットフィルタ、ローパスフィルタ等の各種フィルタ６およびＣＣＤあるいはＣＭＯＳ等の撮像素子の受光面である撮像面７がそれぞれ配設されている。なお、フィルタ６は、必要に応じて省略することも可能である。
【００３６】
このように、本実施形態においては、第１レンズ２を両凸レンズとすることにより、光学系の主たるパワーを第１レンズ２に持たせることができ、各レンズ２、４、５にパワーを分散させる場合に比べて光学系を有効に小型化することが可能となる。
【００３７】
また、本実施形態においては、第１レンズ２と第２レンズ４との間に絞り３を配置することにより、絞り３を像面から離れた位置に配置することができ、この結果、テレセントリック性を確保することが可能となる。
【００３８】
さらに、本実施形態においては、第２レンズ４を像面側に凸面を向けた負のパワーを有するメニスカスレンズとすることにより、軸外の収差（特に、コマ収差）を良好に補正することが可能となる。
【００３９】
なお、第２レンズ４の第１面４ａおよび第２レンズ４の第２面４ｂをともに非球面に形成すれば、収差をさらに良好に補正することが可能となる。
【００４０】
さらにまた、本実施形態においては、第３レンズ５を物体側に凸面を向けた正のパワーを有するメニスカスレンズとすることにより、テレセントリック性を向上させることが可能となる。
【００４１】
なお、第３レンズ５の第２面５ｂを非球面に形成すれば、像高ごとの収差を効果的に補正することが可能となる。すなわち、物体平面上の各物点から光学系に入射した各光束は、絞り３を通過した後に像高ごとに分離されるところ、第３レンズ５が物体側に凸面を向けたレンズであることにより、絞り３を通過して第３レンズ５の第１面５ａに入射した各光束を、この第１面５ａによってさらに有効に分離することが可能となる。そして、非球面とされた第３レンズ５の第２面５ｂによって、各像高ごとに分離された各光束が有する収差（特に、非点収差）を、各光束ごとに効果的に補正することが可能となる。
【００４２】
さらに、本実施形態においては、次の（１）〜（３）に示す各条件式を満足するようにする。
【００４３】
０．７≦ｆ１／ｆｌ≦１        （１）
−６≦ｆ２／ｆｌ≦−２．８    （２）
３≦ｆ３／ｆｌ≦１０          （３）
但し、（１）〜（３）式において、ｆｌは、レンズ系全体の焦点距離である。また、（１）式において、ｆ１は、第１レンズ２の焦点距離である。さらに、（２）式において、ｆ２は、第２レンズ４の焦点距離である。さらにまた、（３）式において、ｆ３は、第３レンズ５の焦点距離である。
【００４４】
ここで、ｆ１／ｆｌの値が、（１）式の値（１）よりも大きくなると、第１レンズ２のパワーが小さくなり過ぎることにより、小型化が困難となる。
【００４５】
一方、ｆ１／ｆｌの値が、（１）式の値（０．７）よりも小さくなると、第１レンズ２のパワーが大きくなり過ぎることにより、収差の補正が困難となる。
【００４６】
従って、本実施形態によれば、ｆ１／ｆｌの値を（１）の条件式を満足するようにすることにより、小型軽量化と高性能化（高解像度化）とを両立させることが可能となる。
【００４７】
なお、このｆ１とｆｌとの関係は、０．８≦ｆ１／ｆｌ≦０．９とされることが、より好ましい。
【００４８】
また、ｆ２／ｆｌの値が、（２）式の値（−２．８）よりも大きくなると、負のパワーが強くなり過ぎることにより、コマ収差が悪化し、さらに、像面湾曲に関与するペッツバール和が補正過剰となる。
【００４９】
一方、ｆ２／ｆｌの値が、（２）式の値（−６）よりも小さくなると、負のパワーが弱くなり過ぎることにより、テレセントリック性が悪化し、さらに、色収差の補正不足となる。
【００５０】
従って、本実施形態によれば、ｆ２／ｆｌの値を（２）の条件式を満足するようにすることにより、コマ収差、色収差および像面湾曲等の諸収差を良好に補正し、さらに、テレセントリック性をより有効に確保することが可能となる。
【００５１】
なお、このｆ２とｆｌとの関係は、−５．５≦ｆ２／ｆｌ≦−４とされることが、より好ましい。
【００５２】
さらに、ｆ３／ｆｌの値が、（３）式の値（１０）よりも大きくなると、正のパワーが弱くなり過ぎることにより、テレセントリック性が悪化することとなる。
【００５３】
一方、ｆ３／ｆｌの値が、（３）式の値（３）よりも小さくなると、バックフォーカス距離が短くなり過ぎることにより、カバーガラス等のフィルタ６を挿入することが困難となり、実使用上の問題が生じることとなる。
【００５４】
従って、本実施形態によれば、ｆ３／ｆｌの値を（３）の条件式を満足するようにすることにより、バックフォーカス距離を適切に確保しつつ、テレセントリック性を向上させることが可能となる。
【００５５】
なお、このｆ３とｆｌとの関係は、３．５≦ｆ３／ｆｌ≦７とされることが、より好ましい。
【００５６】
上記構成に加えて、さらに、本実施形態においては、次の（４）に示す条件式を満足するようにする。
【００５７】
−０．３≦ｒ１／ｒ２＜０    （４）
但し、（４）式において、ｒ１は、第１レンズ２の第１面２ａの中心曲率半径である。また、（４）式において、ｒ２は、第１レンズ２の第２面２ｂの中心曲率半径である。
【００５８】
ここで、ｒ１／ｒ２の値が、（４）式の値（０）以上となると、第１レンズ２の第２面２ｂにおける球面収差が大きくなり、さらに、小型化が困難となる。
【００５９】
一方、ｒ１／ｒ２の値が、（４）式の値（−０．３）よりも小さくなると、第１レンズ２の第１面２ａにおける球面収差が大きくなることとなる。
【００６０】
従って、本実施形態によれば、ｒ１／ｒ２の値を（４）の条件式を満足するようにすることにより、球面収差をさらに良好に補正することが可能となる。
【００６１】
なお、このｒ１とｒ２との関係は、−０．１≦ｒ１／ｒ２＜０とされることが、より好ましい。
【００６２】
上記構成に加えて、さらに、本実施形態においては、次の（５）に示す条件式を満足するようにする。
【００６３】
０．７≦ｒ５／ｆｌ≦１．２  （５）
但し、（５）式において、ｒ５は、第３レンズ５の第１面５ａの中心曲率半径である。
【００６４】
ここで、ｒ５／ｆｌの値が（５）式の値（１．２）よりも大きくなると、コマ収差の補正が困難となる。
【００６５】
一方、ｒ５／ｆｌの値が（５）式の値（０．７）よりも小さくなると、負のディストーションが大きくなることとなる。
【００６６】
従って、ｒ５／ｆｌの値を（５）の条件式を満足するようにすることにより、コマ収差およびディストーションをさらに良好に補正することが可能となる。
【００６７】
なお、このｒ５とｆｌとの関係は、０．９≦ｒ５／ｆｌ≦１．１とされることが、より好ましい。
【００６８】
上記構成に加えて、さらに、本実施形態においては、次の（６）〜（８）に示す各条件式を満足するようにする。
【００６９】
ν１≧５０      （６）
ν２≦４０      （７）
ν３≧５０      （８）
但し、（６）式におけるν１は、第１レンズ２のアッベ数である。また、（７）式におけるν２は、第２レンズ４のアッベ数である。さらに、（８）式におけるν３は、第３レンズ５のアッベ数である。
【００７０】
ここで、ν１の値が（６）式の値（５０）よりも小さくなるか、または、ν２の値が（７）式の値（４０）よりも大きくなるか、もしくは、ν３の値が（８）式の値（５０）よりも小さくなると、色収差の補正が困難となる。
【００７１】
従って、ν１の値を（６）の条件式を満足するようにし、かつ、ν２の値を（７）の条件式を満足するようにし、さらに、ν３の値を（８）の条件式を満足するようにすることにより、色収差をさらに良好に補正することが可能となる。
【００７２】
より好ましい実施形態としては、第３レンズ５の第２面５ｂを、中心側（光軸８側）から周辺に向かうにしたがって負のパワーを弱めるような非球面形状、または、中心側から周辺に向かうにしたがって像面側に凸になるような非球面形状に形成するようにする。
【００７３】
このようにすれば、前述した像高ごとの収差の補正をさらに効果的に行うことが可能となる。
【実施例】
【００７４】
次に、本発明の実施例について、図２乃至図２５を参照して説明する。
【００７５】
ここで、本実施例において、ＦｎｏはＦナンバー、ωは画角（対角画角）、ｒは中心曲率半径を示す。また、ｄは次の光学面までの距離を示す。また、ｎｄは、ｄ線（黄色）を照射した場合における各光学系の屈折率、νｄは、同じくｄ線を基準にした各光学系のアッベ数を示す。
【００７６】
ｋ、Ａ、Ｂ、Ｃ、Ｄは、次の（９）式における各係数を示す。すなわち、レンズの非球面の形状は、光軸８方向にＺ軸、光軸８に直交する方向（高さ方向）にＸ軸をとり、光の進行方向を正とし、ｋを円錐係数、Ａ、Ｂ、Ｃ、Ｄを非球面係数、ｒを中心曲率半径としたとき次式で表される。
【００７７】
Ｚ（Ｘ）＝ｒ−１ Ｘ２ ／［１＋｛１−（ｋ＋１）r−２ Ｘ２  ｝１／２ ］
＋ＡＸ４  ＋ＢＸ６ ＋ＣＸ８ ＋ＤＸ１０             （９）
また、以下の実施例において、円錐係数および非球面係数を表す数値に用いられる記号Ｅは、その次に続く数値が１０を底としたべき指数であることを示し、その１０を底としたべき指数で表される数値が、Ｅの前の数値に乗算されることを示す。例えば、１．２Ｅ−１は、１．２×１０−１であることを示す。
【００７８】
＜第１実施例＞
図２は、本発明の第１実施例を示したものであり、この図２に示す第１実施例の撮像レンズ１は、図１に示したものと同一の撮像レンズ１である。
【００７９】
この第１実施例の撮像レンズ１は、以下の条件に設定されている。
【００８０】
（レンズデータ）
ｆｌ＝２．５４ｍｍ、ｆ１＝２．１２ｍｍ、ｆ２＝−１２．１９ｍｍ、ｆ３＝１４．６８ｍｍ、Ｆｎｏ＝２．８、ω＝５８．７
面番号                           ｒ         ｄ       ｎd        νｄ
（物点）
１（第１レンズ第１面）         1.176       0.50     1.5310       56
２（第１レンズ第２面）       -22.222       0.05
３（絞り）                     0.000       0.40
４（第２レンズ第１面）        -0.606       0.45     1.5850       30
５（第２レンズ第２面）        -0.844       0.20
６（第３レンズ第１面）         2.532       0.70     1.5310       56
７（第３レンズ第２面）         3.390       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.8         1.1E-1   -2.7E-1    5.8E-1   -2.1
２      0          -1.7E-1   -5.0E-1   -2.7E-1    1.1
４      2.8E-1      6.4E-1    4.2      -1.3E+1    4.5E+1
５      5.5E-2      4.9E-1    7.6E-1   -3.8E-1    5.6E-1
６      9.0E-1      7.7E-3   -2.6E-2    8.0E-3   -6.2E-4
７     -6.4        -1.5E-1    1.4E-1   -7.2E-2    1.4E-2
【００８１】
このような条件の下で、ｆ１／ｆｌ＝０．８３となり、（１）の条件式を満足するものであった。また、ｆ２／ｆｌ＝−４．８０となり、（２）の条件式を満足するものであった。さらに、ｆ３／ｆｌ＝５．７８となり、（３）の条件式を満足するものであった。さらにまた、ｒ１／ｒ２＝−０．０５となり、（４）の条件式を満足するものであった。また、ｒ５／ｆｌ＝１．００となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【００８２】
この第１実施例の撮像レンズ１における球面収差、非点収差およびディストーションを図３に示す。
【００８３】
この結果によれば、球面収差、非点収差およびディストーションのいずれもほぼ満足できる結果となり、十分に優れた光学特性を得ることができることが分かる。
【００８４】
＜第２実施例＞
図４は、本発明の第２実施例を示したものであり、この第２実施例の撮像レンズ１は、以下の条件に設定されている。
【００８５】
（レンズデータ）
ｆｌ＝２．６２ｍｍ、ｆ１＝２．１９ｍｍ、ｆ２＝−７．５８ｍｍ、ｆ３＝８．１２ｍｍ、Ｆｎｏ＝２．８、ω＝５７．５
面番号                           ｒ         ｄ       ｎd        νｄ
（物点）
１（第１レンズ第１面）         1.198       0.50     1.5310       56
２（第１レンズ第２面）       -34.001       0.05
３（絞り）                     0.000       0.40
４（第２レンズ第１面）        -0.587       0.45     1.5850       30
５（第２レンズ第２面）        -0.868       0.20
６（第３レンズ第１面）         2.250       0.70     1.5310       56
７（第３レンズ第２面）         4.200       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.6         1.1E-1   -3.0E-1    6.4E-1   -2.1
２      0          -1.5E-1   -5.1E-1   -4.3E-1    1.1
４      2.0E-1      6.7E-1    4.2      -1.3E+1    4.5E+1
５      5.5E-2      4.7E-1    6.8E-1   -5.2E-1    5.6E-1
６      9.0E-1      3.2E-3   -2.5E-2    7.4E-3   -1.4E-3
７     -6.4        -1.3E-1    1.4E-1   -7.2E-2    1.4E-2
【００８６】
このような条件の下で、ｆ１／ｆｌ＝０．８４となり、（１）の条件式を満足するものであった。また、ｆ２／ｆｌ＝−２．８９となり、（２）の条件式を満足するものであった。さらに、ｆ３／ｆｌ＝３．１０となり、（３）の条件式を満足するものであった。さらにまた、ｒ１／ｒ２＝−０．０４となり、（４）の条件式を満足するものであった。また、ｒ５／ｆｌ＝０．８６となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【００８７】
この第２実施例の撮像レンズ１における球面収差、非点収差およびディストーションを図５に示す。
【００８８】
この結果によれば、球面収差、非点収差およびディストーションのいずれもほぼ満足できる結果となり、十分に優れた光学特性を得ることができることが分かる。
【００８９】
＜第３実施例＞
図６は、本発明の第３実施例を示したものであり、この第３実施例の撮像レンズ１は、以下の条件に設定されている。
【００９０】
（レンズデータ）
ｆｌ＝２．５７ｍｍ、ｆ１＝２．１３ｍｍ、ｆ２＝−８．９８ｍｍ、ｆ３＝１０．２１ｍｍ、Ｆｎｏ＝２．８、ω＝５８．７
面番号                           ｒ         ｄ       ｎd        νｄ
（物点）
１（第１レンズ第１面）         1.176       0.50     1.5310       56
２（第１レンズ第２面）       -26.609       0.05
３（絞り）                     0.000       0.40
４（第２レンズ第１面）        -0.595       0.45     1.5850       30
５（第２レンズ第２面）        -0.858       0.20
６（第３レンズ第１面）         2.360       0.70     1.5310       56
７（第３レンズ第２面）         3.750       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.6         1.1E-1   -2.9E-1    6.1E-1   -2.1
２      0          -1.6E-1   -5.1E-1   -3.5E-1    1.1
４      2.3E-1      6.5E-1    4.2      -1.3E+1    4.5E+1
５      5.5E-2      4.9E-1    7.2E-1   -4.6E-1    5.6E-1
６      9.0E-1      6.3E-3   -2.6E-2    7.6E-3   -9.7E-4
７     -6.4        -1.4E-1    1.4E-1   -7.2E-2    1.4E-2
【００９１】
このような条件の下で、ｆ１／ｆｌ＝０．８３となり、（１）の条件式を満足するものであった。また、ｆ２／ｆｌ＝−３．４９となり、（２）の条件式を満足するものであった。さらに、ｆ３／ｆｌ＝３．９７となり、（３）の条件式を満足するものであった。さらにまた、ｒ１／ｒ２＝−０．０４となり、（４）の条件式を満足するものであった。また、ｒ５／ｆｌ＝０．９２となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【００９２】
この第３実施例の撮像レンズ１における球面収差、非点収差およびディストーションを図７に示す。
【００９３】
この結果によれば、球面収差、非点収差およびディストーションのいずれもほぼ満足できる結果となり、十分に優れた光学特性を得ることができることが分かる。
【００９４】
＜第４実施例＞
図８は、本発明の第４実施例を示したものであり、この第４実施例の撮像レンズ１は、以下の条件に設定されている。
【００９５】
（レンズデータ）
ｆｌ＝２．５５ｍｍ、ｆ１＝２．０７ｍｍ、ｆ２＝−１１．６５ｍｍ、ｆ３＝１８．２０ｍｍ、Ｆｎｏ＝２．８、ω＝５８．８
面番号                           ｒ         ｄ       ｎd        νｄ
（物点）
１（第１レンズ第１面）         1.190       0.50     1.5310       56
２（第１レンズ第２面）       -12.194       0.05
３（絞り）                     0.000       0.40
４（第２レンズ第１面）        -0.600       0.45     1.5850       30
５（第２レンズ第２面）        -0.840       0.15
６（第３レンズ第１面）         2.800       0.70     1.5310       56
７（第３レンズ第２面）         3.600       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.6         1.0E-1   -3.9E-1    6.0E-1   -2.1
２      0          -1.8E-1   -6.8E-1    1.6E-1    1.1
４      2.8E-1      7.8E-1    3.3      -9.8E+1    4.5E+1
５      5.5E-2      5.5E-1    7.1E-1   -3.2E-1    5.6E-1
６      9.0E-1     -1.5E-2   -1.7E-2    9.1E-3   -2.8E-3
７     -6.4        -1.9E-1    1.5E-1   -7.2E-2    1.4E-2
【００９６】
このような条件の下で、ｆ１／ｆｌ＝０．８１となり、（１）の条件式を満足するものであった。また、ｆ２／ｆｌ＝−４．５７となり、（２）の条件式を満足するものであった。さらに、ｆ３／ｆｌ＝７．１４となり、（３）の条件式を満足するものであった。さらにまた、ｒ１／ｒ２＝−０．１０となり、（４）の条件式を満足するものであった。また、ｒ５／ｆｌ＝１．１０となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【００９７】
この第４実施例の撮像レンズ１における球面収差、非点収差およびディストーションを図９に示す。
【００９８】
この結果によれば、球面収差、非点収差およびディストーションのいずれもほぼ満足できる結果となり、十分に優れた光学特性を得ることができることが分かる。
【００９９】
＜第５実施例＞
図１０は、本発明の第５実施例を示したものであり、この第５実施例の撮像レンズ１は、以下の条件に設定されている。
【０１００】
（レンズデータ）
ｆｌ＝２．５５ｍｍ、ｆ１＝２．０３ｍｍ、ｆ２＝−１１．６５ｍｍ、ｆ３＝２４．９２ｍｍ、Ｆｎｏ＝２．８、ω＝５８．５
面番号                           ｒ         ｄ       ｎd        νｄ
（物点）
１（第１レンズ第１面）         1.116       0.50     1.5310       56
２（第１レンズ第２面）       -25.905       0.05
３（絞り）                     0.000       0.40
４（第２レンズ第１面）        -0.600       0.45     1.5850       30
５（第２レンズ第２面）        -0.840       0.15
６（第３レンズ第１面）         2.960       0.70     1.5310       56
７（第３レンズ第２面）         3.500       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.3         1.2E-1   -3.7E-1    6.4E-1   -2.1
２      0          -1.5E-1   -8.5E-1    6.8E-1    1.1
４      3.2E-1      7.8E-1    3.3      -8.9       4.5E+1
５      5.5E-2      5.8E-1    7.3E-1   -3.5E-1    5.6E-1
６      9.0E-1     -1.4E-2   -1.7E-2    8.1E-3   -4.4E-3
７     -6.4        -2.1E-1    1.6E-1   -7.9E-2    1.2E-2
【０１０１】
このような条件の下で、ｆ１／ｆｌ＝０．８０となり、（１）の条件式を満足するものであった。また、ｆ２／ｆｌ＝−４．５７となり、（２）の条件式を満足するものであった。さらに、ｆ３／ｆｌ＝９．７７となり、（３）の条件式を満足するものであった。さらにまた、ｒ１／ｒ２＝−０．０４となり、（４）の条件式を満足するものであった。また、ｒ５／ｆｌ＝１．１６となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１０２】
この第５実施例の撮像レンズ１における球面収差、非点収差およびディストーションを図１１に示す。
【０１０３】
この結果によれば、球面収差、非点収差およびディストーションのいずれもほぼ満足できる結果となり、十分に優れた光学特性を得ることができることが分かる。
【０１０４】
＜第６実施例＞
図１２は、本発明の第６実施例を示したものであり、この第６実施例の撮像レンズ１は、以下の条件に設定されている。
【０１０５】
（レンズデータ）
ｆｌ＝２．５４ｍｍ、ｆ１＝２．３７ｍｍ、ｆ２＝−１２．１９ｍｍ、ｆ３＝７．６９ｍｍ、Ｆｎｏ＝２．８、ω＝５９．６
面番号                           ｒ         ｄ       ｎd        νｄ
（物点）
１（第１レンズ第１面）         1.325       0.50     1.5310       56
２（第１レンズ第２面）       -22.222       0.05
３（絞り）                     0.000       0.34
４（第２レンズ第１面）        -0.606       0.45     1.5850       30
５（第２レンズ第２面）        -0.844       0.03
６（第３レンズ第１面）         2.532       0.70     1.5310       56
７（第３レンズ第２面）         6.028       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -2.0         9.4E-2   -3.0E-1    6.5E-1   -2.1
２      0          -1.8E-1   -5.5E-1   -4.1E-1    1.1
４      2.8E-1      6.0E-1    4.1      -1.2E+1    4.5E+1
５      5.5E-2      4.5E-1    7.3E-1   -3.7E-1    5.6E-1
６      9.0E-1     -9.9E-3   -2.4E-2    1.2E-2   -5.4E-3
７     -6.4        -1.6E-1    1.4E-1   -7.2E-2    1.4E-2
【０１０６】
このような条件の下で、ｆ１／ｆｌ＝０．９３となり、（１）の条件式を満足するものであった。また、ｆ２／ｆｌ＝−４．８０となり、（２）の条件式を満足するものであった。さらに、ｆ３／ｆｌ＝３．０３となり、（３）の条件式を満足するものであった。さらにまた、ｒ１／ｒ２＝−０．０６となり、（４）の条件式を満足するものであった。また、ｒ５／ｆｌ＝１．００となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１０７】
この第６実施例の撮像レンズ１における球面収差、非点収差およびディストーションを図１３に示す。
【０１０８】
この結果によれば、球面収差、非点収差およびディストーションのいずれもほぼ満足できる結果となり、十分に優れた光学特性を得ることができることが分かる。
【０１０９】
＜第７実施例＞
図１４は、本発明の第７実施例を示したものであり、この第７実施例の撮像レンズ１は、以下の条件に設定されている。
【０１１０】
（レンズデータ）
ｆｌ＝２．４７ｍｍ、ｆ１＝２．４５ｍｍ、ｆ２＝−１４．６４ｍｍ、ｆ３＝７．４６ｍｍ、Ｆｎｏ＝２．８、ω＝６０．８
面番号                           ｒ         ｄ       ｎd        νｄ
（物点）
１（第１レンズ第１面）         1.370       0.50     1.5310       56
２（第１レンズ第２面）       -22.222       0.05
３（絞り）                     0.000       0.30
４（第２レンズ第１面）        -0.617       0.45     1.5850       30
５（第２レンズ第２面）        -0.844       0.09
６（第３レンズ第１面）         2.000       0.70     1.5310       56
７（第３レンズ第２面）         3.550       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.3         1.1E-1   -4.4E-1    1.1      -2.1
２      0          -7.1E-2   -8.1E-1    2.8E-1    1.1
４      4.3E-1      8.7E-1    2.7      -5.6       4.5E+1
５      5.5E-2      4.6E-1    6.1E-1   -3.1E-1    5.6E-1
６      7.6E-2     -3.9E-2    2.2E-2   -4.7E-3   -5.3E-6
７     -3.0E+1     -7.3E-2    8.9E-2   -2.8E-2    4.8E-3
【０１１１】
このような条件の下で、ｆ１／ｆｌ＝０．９９となり、（１）の条件式を満足するものであった。また、ｆ２／ｆｌ＝−５．９３となり、（２）の条件式を満足するものであった。さらに、ｆ３／ｆｌ＝３．０２となり、（３）の条件式を満足するものであった。さらにまた、ｒ１／ｒ２＝−０．０６となり、（４）の条件式を満足するものであった。また、ｒ５／ｆｌ＝０．８１となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１１２】
この第７実施例の撮像レンズ１における球面収差、非点収差およびディストーションを図１５に示す。
【０１１３】
この結果によれば、球面収差、非点収差およびディストーションのいずれもほぼ満足できる結果となり、十分に優れた光学特性を得ることができることが分かる。
【０１１４】
＜第８実施例＞
図１６は、本発明の第８実施例を示したものであり、この第８実施例の撮像レンズ１は、以下の条件に設定されている。
【０１１５】
（レンズデータ）
ｆｌ＝２．５４ｍｍ、ｆ１＝２．１２ｍｍ、ｆ２＝−１２．１９ｍｍ、ｆ３＝１４．６８ｍｍ、Ｆｎｏ＝２．８、ω＝５９．１
面番号                           ｒ         ｄ       ｎd        νｄ
（物点）
１（第１レンズ第１面）         1.275       0.50     1.5310       56
２（第１レンズ第２面）        -8.307       0.05
３（絞り）                     0.000       0.40
４（第２レンズ第１面）        -0.606       0.45     1.5850       30
５（第２レンズ第２面）        -0.844       0.20
６（第３レンズ第１面）         2.532       0.70     1.5310       56
７（第３レンズ第２面）         3.390       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.9         8.9E-2   -3.8E-1    7.0E-1   -2.1
２      0          -1.7E-1   -4.9E-1   -2.8E-1    1.1
４      2.7E-1      7.5E-1    3.7      -1.1E+1    4.5E+1
５      5.5E-2      5.1E-1    7.4E-1   -3.6E-1    5.6E-1
６      9.0E-1     -2.1E-2   -2.0E-2    8.2E-3   -1.0E-3
７     -6.4        -1.7E-1    1.4E-1   -7.2E-2    1.5E-2
【０１１６】
このような条件の下で、ｆ１／ｆｌ＝０．８３となり、（１）の条件式を満足するものであった。また、ｆ２／ｆｌ＝−４．８０となり、（２）の条件式を満足するものであった。さらに、ｆ３／ｆｌ＝５．７８となり、（３）の条件式を満足するものであった。さらにまた、ｒ１／ｒ２＝−０．１５となり、（４）の条件式を満足するものであった。また、ｒ５／ｆｌ＝１．００となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１１７】
この第８実施例の撮像レンズ１における球面収差、非点収差およびディストーションを図１７に示す。
【０１１８】
この結果によれば、球面収差、非点収差およびディストーションのいずれもほぼ満足できる結果となり、十分に優れた光学特性を得ることができることが分かる。
【０１１９】
＜第９実施例＞
図１８は、本発明の第９実施例を示したものであり、この第９実施例の撮像レンズ１は、以下の条件に設定されている。
【０１２０】
（レンズデータ）
ｆｌ＝２．５４ｍｍ、ｆ１＝２．１２ｍｍ、ｆ２＝−１２．１９ｍｍ、ｆ３＝１４．６８ｍｍ、Ｆｎｏ＝２．８、ω＝５９．１
面番号                           ｒ         ｄ       ｎd        νｄ
（物点）
１（第１レンズ第１面）         1.330       0.50     1.5310       56
２（第１レンズ第２面）        -6.374       0.05
３（絞り）                     0.000       0.40
４（第２レンズ第１面）        -0.606       0.45     1.5850       30
５（第２レンズ第２面）        -0.844       0.20
６（第３レンズ第１面）         2.532       0.70     1.5310       56
７（第３レンズ第２面）         3.390       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -2.2         7.8E-2   -4.0E-1    6.9E-1   -2.1
２      0          -1.8E-1   -4.9E-1   -2.6E-1    1.1
４      2.6E-1      7.8E-1    3.7      -1.1E+1    4.5E+1
５      5.5E-2      5.2E-1    7.4E-1   -3.7E-1    5.6E-1
６      9.0E-1     -2.1E-2   -2.1E-2    7.9E-3   -8.8E-4
７     -6.4        -1.7E-1    1.3E-1   -7.2E-2    1.5E-2
【０１２１】
このような条件の下で、ｆ１／ｆｌ＝０．８３となり、（１）の条件式を満足するものであった。また、ｆ２／ｆｌ＝−４．８０となり、（２）の条件式を満足するものであった。さらに、ｆ３／ｆｌ＝５．７８となり、（３）の条件式を満足するものであった。さらにまた、ｒ１／ｒ２＝−０．２１となり、（４）の条件式を満足するものであった。また、ｒ５／ｆｌ＝１．００となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１２２】
この第９実施例の撮像レンズ１における球面収差、非点収差およびディストーションを図１９に示す。
【０１２３】
この結果によれば、球面収差、非点収差およびディストーションのいずれもほぼ満足できる結果となり、十分に優れた光学特性を得ることができることが分かる。
【０１２４】
＜第１０実施例＞
図２０は、本発明の第１０実施例を示したものであり、この第１０実施例の撮像レンズ１は、以下の条件に設定されている。
【０１２５】
（レンズデータ）
ｆｌ＝２．５４ｍｍ、ｆ１＝２．１２ｍｍ、ｆ２＝−１２．１９ｍｍ、ｆ３＝１５．９１ｍｍ、Ｆｎｏ＝２．８、ω＝５９．０
面番号                           ｒ         ｄ       ｎd        νｄ
（物点）
１（第１レンズ第１面）         1.400       0.50     1.5310       56
２（第１レンズ第２面）        -5.000       0.05
３（絞り）                     0.000       0.40
４（第２レンズ第１面）        -0.606       0.45     1.5850       30
５（第２レンズ第２面）        -0.844       0.10
６（第３レンズ第１面）         2.532       0.70     1.5310       56
７（第３レンズ第２面）         3.268       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.7         7.3E-2   -6.2E-1    1.1      -2.1
２      0          -9.7E-2   -7.1E-1    8.3E-2    1.1
４      2.6E-1      1.1       2.9      -9.3       4.5E+1
５      5.5E-2      6.1E-1    8.6E-1   -6.5E-1    5.6E-1
６      9.0E-1     -4.2E-2   -5.9E-3    8.7E-4   -4.6E-3
７     -6.4        -2.3E-1    1.9E-1   -9.3E-2    1.5E-2
【０１２６】
このような条件の下で、ｆ１／ｆｌ＝０．８３となり、（１）の条件式を満足するものであった。また、ｆ２／ｆｌ＝−４．８０となり、（２）の条件式を満足するものであった。さらに、ｆ３／ｆｌ＝６．２６となり、（３）の条件式を満足するものであった。さらにまた、ｒ１／ｒ２＝−０．２８となり、（４）の条件式を満足するものであった。また、ｒ５／ｆｌ＝１．００となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１２７】
この第１０実施例の撮像レンズ１における球面収差、非点収差およびディストーションを図２１に示す。
【０１２８】
この結果によれば、球面収差、非点収差およびディストーションのいずれもほぼ満足できる結果となり、十分に優れた光学特性を得ることができることが分かる。
【０１２９】
＜第１１実施例＞
図２２は、本発明の第１１実施例を示したものであり、この第１１実施例の撮像レンズ１は、以下の条件に設定されている。
【０１３０】
（レンズデータ）
ｆｌ＝２．６０ｍｍ、ｆ１＝２．０６ｍｍ、ｆ２＝−７．４８ｍｍ、ｆ３＝１８．３５ｍｍ、Ｆｎｏ＝２．８、ω＝５７．５
面番号                           ｒ         ｄ       ｎd        νｄ
（物点）
１（第１レンズ第１面）         1.201       0.50     1.5310       56
２（第１レンズ第２面）       -10.351       0.05
３（絞り）                     0.000       0.40
４（第２レンズ第１面）        -0.639       0.45     1.5850       30
５（第２レンズ第２面）        -0.943       0.20
６（第３レンズ第１面）         1.983       0.70     1.5310       56
７（第３レンズ第２面）         2.184       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -2.1         9.1E-2   -2.9E-1    4.0E-1   -2.0
２      0          -2.0E-1   -4.5E-1   -4.6E-1    1.3
４      3.1E-1      7.1E-1    3.5      -1.2E+1    3.6E+1
５     -4.1E-2      4.8E-1    6.9E-1   -5.2E-1    2.3E-1
６      6.3E-1     -2.3E-2   -7.0E-3    4.7E-3   -1.4E-3
７     -2.6        -1.4E-1    1.4E-1   -7.1E-2    1.7E-2
【０１３１】
このような条件の下で、ｆ１／ｆｌ＝０．７９となり、（１）の条件式を満足するものであった。また、ｆ２／ｆｌ＝−２．８８となり、（２）の条件式を満足するものであった。さらに、ｆ３／ｆｌ＝７．０６となり、（３）の条件式を満足するものであった。さらにまた、ｒ１／ｒ２＝−０．１２となり、（４）の条件式を満足するものであった。また、ｒ５／ｆｌ＝０．７６となり、（５）式を満足するものであった。
【０１３２】
この第１１実施例の撮像レンズ１における球面収差、非点収差およびディストーションを図２３に示す。
【０１３３】
この結果によれば、球面収差、非点収差およびディストーションのいずれもほぼ満足できる結果となり、十分に優れた光学特性を得ることができることが分かる。
【０１３４】
＜第１２実施例＞
図２４は、本発明の第１２実施例を示したものであり、この第１２実施例の撮像レンズ１は、以下の条件に設定されている。
【０１３５】
（レンズデータ）
ｆｌ＝２．５５ｍｍ、ｆ１＝２．１２ｍｍ、ｆ２＝−１０．６６ｍｍ、ｆ３＝１１．７５ｍｍ、Ｆｎｏ＝２．８、ω＝５８．８
面番号                           ｒ         ｄ       ｎd        νｄ
（物点）
１（第１レンズ第１面）         1.176       0.50     1.5310       56
２（第１レンズ第２面）       -22.222       0.05
３（絞り）                     0.000       0.40
４（第２レンズ第１面）        -0.597       0.45     1.5850       30
５（第２レンズ第２面）        -0.844       0.20
６（第３レンズ第１面）         2.532       0.70     1.5310       56
７（第３レンズ第２面）         3.851       0.30
８（カバーガラス第１面）       0.000       0.30     1.5168       64
９（カバーガラス第２面）       0.000
（像面）
面番号    ｋ          Ａ        Ｂ        Ｃ        Ｄ
１     -1.5         1.1E-1   -3.5E-1    6.7E-1   -2.1
２      0          -1.6E-1   -5.7E-1   -1.7E-1    1.1
４      2.7E-1      6.9E-1    3.7      -1.0E+1    4.5E+1
５      5.5E-2      5.0E-1    7.0E-1   -3.4E-1    5.6E-1
６      9.0E-1     -2.3E-3   -2.1E-2    8.4E-3   -1.0E-3
７     -6.4        -1.6E-1    1.4E-1   -7.1E-2    1.5E-2
【０１３６】
このような条件の下で、ｆ１／ｆｌ＝０．８３となり、（１）の条件式を満足するものであった。また、ｆ２／ｆｌ＝−４．１８となり、（２）の条件式を満足するものであった。さらに、ｆ３／ｆｌ＝４．６１となり、（３）の条件式を満足するものであった。さらにまた、ｒ１／ｒ２＝−０．０５となり、（４）の条件式を満足するものであった。また、ｒ５／ｆｌ＝０．９９となり、（５）式を満足するものであった。さらに、ν１＝５６となり、（６）の条件式を満足するものであった。さらにまた、ν２＝３０となり、（７）の条件式を満足するものであった。また、ν３＝５６となり、（８）の条件式を満足するものであった。
【０１３７】
この第１２実施例の撮像レンズ１における球面収差、非点収差およびディストーションを図２５に示す。
【０１３８】
この結果によれば、球面収差、非点収差およびディストーションのいずれもほぼ満足できる結果となり、十分に優れた光学特性を得ることができることが分かる。
【０１３９】
なお、本発明は、前述した実施の形態に限定されるものではなく、必要に応じて種々の変更が可能である。
【図面の簡単な説明】
【０１４０】
【図１】本発明に係る撮像レンズの実施形態を示す概略構成図
【図２】本発明に係る撮像レンズの第１実施例を示す概略構成図
【図３】図２の撮像レンズの球面収差、非点収差、ディストーションを示す説明図
【図４】本発明に係る撮像レンズの第２実施例を示す概略構成図
【図５】図４の撮像レンズの球面収差、非点収差、ディストーションを示す説明図
【図６】本発明に係る撮像レンズの第３実施例を示す概略構成図
【図７】図６の撮像レンズの球面収差、非点収差、ディストーションを示す説明図
【図８】本発明に係る撮像レンズの第４実施例を示す概略構成図
【図９】図８の撮像レンズの球面収差、非点収差、ディストーションを示す説明図
【図１０】本発明に係る撮像レンズの第５実施例を示す概略構成図
【図１１】図１０の撮像レンズの球面収差、非点収差、ディストーションを示す説明図
【図１２】本発明に係る撮像レンズの第６実施例を示す概略構成図
【図１３】図１２の撮像レンズの球面収差、非点収差、ディストーションを示す説明図
【図１４】本発明に係る撮像レンズの第７実施例を示す概略構成図
【図１５】図１４の撮像レンズの球面収差、非点収差、ディストーションを示す説明図
【図１６】本発明に係る撮像レンズの第８実施例を示す概略構成図
【図１７】図１６の撮像レンズの球面収差、非点収差、ディストーションを示す説明図
【図１８】本発明に係る撮像レンズの第９実施例を示す概略構成図
【図１９】図１８の撮像レンズの球面収差、非点収差、ディストーションを示す説明図
【図２０】本発明に係る撮像レンズの第１０実施例を示す概略構成図
【図２１】図２０の撮像レンズの球面収差、非点収差、ディストーションを示す説明図
【図２２】本発明に係る撮像レンズの第１１実施例を示す概略構成図
【図２３】図２２の撮像レンズの球面収差、非点収差、ディストーションを示す説明図
【図２４】本発明に係る撮像レンズの第１２実施例を示す概略構成図
【図２５】図２４の撮像レンズの球面収差、非点収差、ディストーションを示す説明図
【符号の説明】
【０１４１】
１  撮像レンズ
２  第１レンズ
２ａ  第１レンズの第１面
２ｂ  第１レンズの第２面
３  絞り
４  第２レンズ
４ａ  第２レンズの第１面
４ｂ  第２レンズの第２面
５  第３レンズ
５ａ  第３レンズの第１面
５ｂ  第３レンズの第２面
【図１】
2007240933.tif 000003
【図２】
2007240933.tif 000004
【図３】
2007240933.tif 000005
【図４】
2007240933.tif 000006
【図５】
2007240933.tif 000007
【図６】
2007240933.tif 000008
【図７】
2007240933.tif 000009
【図８】
2007240933.tif 000010
【図９】
2007240933.tif 000011
【図１０】
2007240933.tif 000012
【図１１】
2007240933.tif 000013
【図１２】
2007240933.tif 000014
【図１３】
2007240933.tif 000015
【図１４】
2007240933.tif 000016
【図１５】
2007240933.tif 000017
【図１６】
2007240933.tif 000018
【図１７】
2007240933.tif 000019
【図１８】
2007240933.tif 000020
【図１９】
2007240933.tif 000021
【図２０】
2007240933.tif 000022
【図２１】
2007240933.tif 000023
【図２２】
2007240933.tif 000024
【図２３】
2007240933.tif 000025
【図２４】
2007240933.tif 000026
【図２５】
2007240933.tif 000027